【手続補正書】
【提出日】平成17年12月2日(2005.12.2)
【手続補正１】
【補正対象書類名】明細書
【補正対象項目名】発明の名称
【補正方法】変更
【補正の内容】
【発明の名称】プリントシステム、キャリブレーション方法およびインクジェットプリント装置
【手続補正２】
【補正対象書類名】明細書
【補正対象項目名】特許請求の範囲
【補正方法】変更
【補正の内容】
【特許請求の範囲】
【請求項１】  ノズルからインクを吐出するヘッドを具えたインクジェットプリント装置を用い該装置にプリントを実行させるプリントシステムであって、
インクジェットプリント装置にパッチをプリントさせ、該パッチにおける予め定めた情報を測定した結果に基づき当該パッチをプリントしたインクジェットプリント装置のキャリブレーションを実行するキャリブレーション手段と、
インクジェットプリント装置が前回プリントを行った日時を記憶する日時記憶手段と、
を具え、前記キャリブレーション手段は、キャリブレーションを実行しようとするとき、前記日時記憶手段が記憶する日時から当該キャリブレーションを実行しようとする時点までの経過時間を求め、該経過時間が規定時間を超えているときは、当該インクジェットプリント装置に前記パッチをプリントさせる前に予備パッチをプリントさせることを特徴とするプリントシステム。
【請求項２】  ノズルからインクを吐出するヘッドを具えたインクジェットプリント装置のキャリブレーション方法であって、
インクジェットプリント装置が前回プリントを行った日時を記憶する日時記憶手段を用意し、
インクジェットプリント装置にパッチをプリントさせ、該パッチにおける予め定めた情報を測定した結果に基づき当該パッチをプリントしたインクジェットプリント装置のキャリブレーションを実行する、
ステップを有し、前記キャリブレーションステップは、キャリブレーションを実行しようとするとき、前記日時記憶手段が記憶する日時から当該キャリブレーションを実行しようとする時点までの経過時間を求め、該経過時間が規定時間を超えているときは、当該インクジェットプリント装置に前記パッチをプリントさせる前に予備パッチをプリントさせることを特徴とするキャリブレーション方法。
【請求項３】  前記ヘッドは複数のノズルを有し、前記予備パッチは全てのノズルを用いてプリントされることを特徴とする請求項２に記載のキャリブレーション方法。
【請求項４】  前記規定時間は、キャリブレーションの対象となるインクジェットプリント装置に応じて定められることを特徴とする請求項２または３に記載のキャリブレーション方法。
【請求項５】  前記予備パッチの内容は、キャリブレーションの対象となるインクジェットプリント装置に応じて定められることを特徴とする請求項２ないし４のいずれかに記載のキャリブレーション方法。
【請求項６】  前記日時記憶手段は、当該プリントシステムを構成する情報処理装置の記憶領域に構成されることを特徴とする請求項２ないし５のいずれかに記載のキャリブレーション方法。
【請求項７】  前記日時記憶手段は、当該キャリブレーションの対象となるインクジェットプリント装置の記憶領域に構成されることを特徴とする請求項２ないし５のいずれかに記載のキャリブレーション方法。
【請求項８】  ノズルからインクを吐出するヘッドを具えたインクジェットプリント装置であって、
該インクジェットプリント装置がパッチをプリントし、該パッチにおける予め定めた情報を測定した結果に基づき当該インクジェットプリント装置のキャリブレーションを実行するとき、前記パッチをプリントする前に予備パッチをプリントすることを特徴とするインクジェットプリント装置。
【請求項９】  情報処理装置に読み込まれることにより、該装置に、ノズルからインクを吐出するヘッドを具えたインクジェットプリント装置のキャリブレーション処理を実行させるプログラムであって、
インクジェットプリント装置にパッチをプリントさせ、該パッチにおける予め定めた情報を測定した結果に基づき当該パッチをプリントしたインクジェットプリント装置のキャリブレーションを実行する、
ステップを有し、該キャリブレーションステップは、キャリブレーションを実行しようとするとき、インクジェットプリント装置が前回プリントを行った日時を記憶する日時記憶手段が記憶する日時から当該キャリブレーションを実行しようとする時点までの経過時間を求め、該経過時間が規定時間を超えているときは、当該インクジェットプリント装置に前記パッチをプリントさせる前に予備パッチをプリントさせることを特徴とするプログラム。
【手続補正３】
【補正対象書類名】明細書
【補正対象項目名】０００１
【補正方法】変更
【補正の内容】
【０００１】
【発明の属する技術分野】
本発明はプリントシステム、キャリブレーション方法およびインクジェットプリント装置に関し、詳しくは、インクジェットプリンタなどプリント装置のプリント特性を一定のものに維持すべくキャリブレーションを実行するプリントシステムに関するものである。
【手続補正４】
【補正対象書類名】明細書
【補正対象項目名】０００９
【補正方法】変更
【補正の内容】
【０００９】
本発明は以上のような問題を解決するためになされたものであり、その目的とするところは、プリント動作の休止期間にかかわらず、インクの不要な消費をすることなく常に正確なキャリブレーションを行うことができるプリントシステム、キャリブレーション方法およびインクジェットプリント装置を提供することにある。
【手続補正５】
【補正対象書類名】明細書
【補正対象項目名】００１０
【補正方法】変更
【補正の内容】
【００１０】
【課題を解決するための手段】
そのために本発明では、ノズルからインクを吐出するヘッドを具えたインクジェットプリント装置を用い該装置にプリントを実行させるプリントシステムであって、インクジェットプリント装置にパッチをプリントさせ、該パッチにおける予め定めた情報を測定した結果に基づき当該パッチをプリントしたインクジェットプリント装置のキャリブレーションを実行するキャリブレーション手段と、インクジェットプリント装置が前回プリントを行った日時を記憶する日時記憶手段と、を具え、前記キャリブレーション手段は、キャリブレーションを実行しようとするとき、前記日時記憶手段が記憶する日時から当該キャリブレーションを実行しようとする時点までの経過時間を求め、該経過時間が規定時間を超えているときは、当該インクジェットプリント装置に前記パッチをプリントさせる前に予備パッチをプリントさせることを特徴とする。
また、ノズルからインクを吐出するヘッドを具えたインクジェットプリント装置のキャリブレーション方法であって、インクジェットプリント装置が前回プリントを行った日時を記憶する日時記憶手段を用意し、インクジェットプリント装置にパッチをプリントさせ、該パッチにおける予め定めた情報を測定した結果に基づき当該パッチをプリントしたインクジェットプリント装置のキャリブレーションを実行する、ステップを有し、前記キャリブレーションステップは、キャリブレーションを実行しようとするとき、前記日時記憶手段が記憶する日時から当該キャリブレーションを実行しようとする時点までの経過時間を求め、該経過時間が規定時間を超えているときは、当該インクジェットプリント装置に前記パッチをプリントさせる前に予備パッチをプリントさせることを特徴とする。
さらに、ノズルからインクを吐出するヘッドを具えたインクジェットプリント装置であって、該インクジェットプリント装置がパッチをプリントし、該パッチにおける予め定めた情報を測定した結果に基づき当該インクジェットプリント装置のキャリブレーションを実行するとき、前記パッチをプリントする前に予備パッチをプリントすることを特徴とする。